(57)【要約】      （修正有）【課題】歯形模型切断の際に発生するおそれのあるダウエルピンの切断を少なくすることができる歯科技工用作業模型を提供すること。【解決手段】歯形模型４が固定される固定用プレート６と、固定用プレート６に植設されたダウエルピン１１と、固定用プレート６を支持するための支持基台１０とを備えた歯科技工用作業模型。支持基台１０の支持領域１８には、複数のダウエルピン１１に対応して複数の挿入孔２２が設けられ、この支持領域１８の片側側部及び他側側部には、片側係合突条２６及び他側係合突条２８が設けられている。各挿入孔２２の周囲には環状係合突部３０が設けられ、各環状係合突部３０の外周面には、片側係合突条２６側に延びる係合補助突条３２が設けられている。【選択図】図３
2019080706.tif 000002
【特許請求の範囲】
【請求項１】
歯形模型が固定される固定用プレートと、前記固定用プレートに植設されたダウエルピン列と、前記固定用プレートを支持するための支持基台と、を備え、前記ダウエルピン列は、間隔を置いて配設された複数のダウエルピンから構成された歯科技工用作業模型であって、
前記支持基台の上面に設けられた支持領域には、前記ダウエルピン列に対応して挿入孔列が設けられ、前記挿入孔列は、前記ダウエルピン列の前記複数のダウエルピンに対応して設けられた複数の挿入孔から構成されており、
前記支持基台における前記支持領域の片側側部及び他側側部には、上方に突出する片側係合突条及び他側係合突条が設けられ、また、前記支持領域における前記複数の挿入孔の周囲には、上方に突出する環状係合突部が設けられ、前記環状係合突部の外周面には、前記片側係合突条側に延びる第１係合補助突条が設けられており、
前記固定用プレートの下面には、前記支持領域の前記片側係合突条及び前記他側係合突条に対応して片側係合凹条及び他側係合凹条が設けられ、また前記支持領域の前記複数の環状係合突部に対応して複数の環状係合凹部が設けられているとともに、前記第１係合補助突条に対応して第１係合補助凹条が設けられていることを特徴とする歯科技工用作業模型。
【請求項２】
前記挿入孔列は、前記支持基台の前記片側係合突条及び前記他側係合突条の間に１列設けられ、前記挿入孔列の前記複数の挿入孔の周囲に前記環状係合突部が設けられていることを特徴とする請求項１に記載の歯科技工用作業模型。
【請求項３】
前記挿入孔列の前記複数の挿入孔は、前記支持基台における前記支持領域の幅方向の中央線よりも他側に配置され、前記第１係合補助突条は、前記複数の挿入孔の周囲に設けられた前記環状係合突部の外周面から前記片側係合突条側にＶ字状に設けられていることを特徴とする請求項２に記載の歯科技工用作業模型。
【請求項４】
前記挿入孔列の前記複数の挿入孔の周囲に設けられた前記環状係合突部には、前記第１係合補助突条に加えて第２係合補助突条が設けられており、前記第１係合補助突条は、前記環状係合突部の外周面から前記片側係合突条側に延びており、前記第２係合補助突条は、前記環状係合突部の外周面から前記他側係合突条側に延びていることを特徴とする請求項１〜３のいずれかに記載の歯科技工用作業模型。
【請求項５】
前記環状係合突部から前記片側係合突条側に延びる前記第１係合補助突条は、前記環状係合突部から前記他側係合突条側に延びる前記第２係合補助突条よりも長く延びていることを特徴とする請求項４に記載の歯科技工用作業模型。
【請求項６】
前記挿入孔列は、前記支持基台の前記片側係合突条及び前記他側係合突条の間に２列設けられ、前記片側係合突部側に位置する第１挿入孔列の複数の第１挿入孔の周囲には、第１環状係合突部が設けられ、前記第１係合補助突条は、前記第１環状係合突部の外周面から前記片側係合突条側に延びていることを特徴とする請求項１に記載の歯科技工用作業模型。
【請求項７】
前記支持基台の前記他側係合突条側に位置する第２挿入孔列の複数の第２挿入孔の周囲には、第２環状係合突部が設けられ、前記第１挿入孔列の前記複数の第１挿入孔の周囲の第１環状係合突部と、この第１環状係合突部と対応する前記第２挿入孔列の前記複数の第２挿入孔の周囲の第２環状係合突部とが、相互につながるように設けられていることを特徴とする請求項６に記載の歯科技工用作業模型。
【請求項８】
前記第１及び第２挿入孔列の前記複数の第１及び第２挿入孔は、前記支持基台における前記支持領域の幅方向の中央線よりも他側に配置され、又は前記第１挿入孔列の前記複数の第１挿入孔は、前記支持領域の幅方向の中央線の上に配置され、前記第１係合補助突条は、前記複数の第１挿入孔の周囲に設けられた前記第１環状係合突部の外周面から前記片側係合突条側にＶ字状に設けられていることを特徴とする請求項６又は７に記載の歯科技工用作業模型。
【請求項９】
前記第２挿入孔列の前記複数の第２挿入孔の周囲に設けられた前記第２環状係合突部には、第２係合補助突条が設けられており、前記第１係合補助突条は、前記第１環状係合突部の外周面から前記片側係合突条側に延びており、前記第２係合補助突条は、前記第２環状係合突部の外周面から前記他側係合突条側に延びていることを特徴とする請求項７又は８に記載の歯科技工用作業模型。
【請求項１０】
前記第１環状係合突部から前記片側係合突条側に延びる前記第１係合補助突条は、前記第２環状係合突部から前記他側係合突条側に延びる前記第２係合補助突条よりも長く延びていることを特徴とする請求項９に記載の歯科技工用作業模型。
【請求項１１】
歯形模型が固定される固定用プレートを支持するための支持基台本体を備えた歯科技工用作業模型の支持基台であって、
前記支持基台本体の上面に設けられた支持領域には、前記固定プレートに設けられたダウエルピン列に対応して挿入孔列が設けられ、前記挿入孔列は、前記固定プレートのダウエルピン列の前記複数のダウエルピンに対応して設けられた複数の挿入孔から構成されており、
前記支持基台における前記支持領域の片側側部及び他側側部には、上方に突出する片側係合突条及び他側係合突条が設けられ、また、前記支持領域における前記複数の挿入孔の周囲には、上方に突出する環状係合突部が設けられ、前記環状係合突部の外周面には、前記片側係合突条側に延びる係合補助突条が設けられており、
前記固定用プレートの下面には、前記支持領域の前記片側係合突条及び前記他側係合突条に対応して片側係合凹条及び他側係合凹条が設けられ、また前記支持領域の前記複数の環状係合突部に対応して複数の環状係合凹部が設けられているとともに、前記係合補助突条に対応して係合補助凹条が設けられていることを特徴とする歯科技工用作業模型の支持基台。
【請求項１２】
前記挿入孔列は、前記支持基台本体の前記片側係合突条及び前記他側係合突条の間に１列設けられ、前記挿入孔列の前記複数の挿入孔の周囲に前記環状係合突部が設けられていることを特徴とする請求項１１に記載の歯科技工用作業模型の支持基台。
【請求項１３】
前記挿入孔列は、前記支持基台本体の前記片側係合突条及び前記他側係合突条の間に２列設けられ、前記片側係合突部側に位置する第１挿入孔列の複数の第１挿入孔の周囲には、環状係合突部が設けられ、前記係合補助突条は、前記環状係合突部の外周面から前記片側係合突条側に延びていることを特徴とする請求項１１に記載の歯科技工用作業模型の支持基台。
【発明の詳細な説明】
【技術分野】
【０００１】
本発明は、歯科治療などにおいて用いられる歯科技工用作業模型及びその支持基台に関する。
【背景技術】
【０００２】
一般に、歯科治療などにおいて用いられる歯科技工用作業模型は、歯形模型が固定される固定用プレートと、固定用プレートに植設された一対のダウエルピン列（第１及び第２ダウエルピン列）と、固定用プレートを支持するための支持基台とを備えている（例えば、特許文献１参照）。支持基台は合成樹脂から形成され、この支持基台の上面には、固定用プレートを支持するための支持領域が設けられ、この支持領域に間隔をおいて一対の挿入孔列（第１及び第２挿入孔列）が設けられているとともに、その片側側部及び他側側部には、上方に突出する片側係合突条及び他側係合突条が設けられている。また、固定用プレートは石膏から形成され、その下面には、支持基台側の片側係合突条及び他側係合突条に対応して片側係合凹条及び他側係合凹条が設けられている。
【０００３】
この歯科技工用作業模型においては、固定用プレート側の第１及び第２ダウエルピン列の複数の第１及び第２ダウエルピンを支持基台側の第１及び第２挿入孔列における対応する第１及び第２挿入孔に挿入すると、固定用プレートが支持基台の支持領域に支持される。この支持状態では、第１及び第２ダウエルピン列の第１及び第２ダウエルピンが第１及び第２挿入孔列における対応する第１及び第２挿入孔に挿入され、更に支持基台側の片側係合突条及び他側係合突条と固定用プレート側の片側係合凹条及び他側係合凹条とが係脱自在に係合される。
【０００４】
そして、このように固定用プレートを装着した状態において、この固定用プレートの上面に接着剤などにより歯形模型が固着され、かく固着した状態にて歯形模型の所定部位が固定用プレートとともに切断され、切断された歯形模型を用いて所要の歯科技工作業（例えば、歯冠補綴物の製作など）が行われる。このとき、切断された固定プレート側の第１及び第２ダウエルピンが対応する第１及び第２挿入孔に挿入されるとともに、この固定プレート側の片側係合凹条及び他側係合凹条と支持基台側の片側係合突条及び他側係合突条とが相互に係合するので、切断した固定用プレートの支持基台に対する回転が抑制され、これにより、歯科技工作業（例えば、歯冠補綴物の製作など）を高精度に且つ確実に行うことができる。
【先行技術文献】
【特許文献】
【０００５】
【特許文献１】特許第５５５３６７９号公報
【発明の概要】
【発明が解決しようとする課題】
【０００６】
しかしながら、上述のような従来の歯科技工用作業模型では、固定用プレート側の第１及び第２ダウエルピン列の第１及び第２ダウエルピンが支持基台側の第１及び第２挿入孔列における対応する第１及び第２挿入孔挿入され、更に支持基台側の片側係合突条及び他側係合突条と固定用プレート側の片側係合凹条及び他側係合凹条とが係脱自在に係合されるが、このような係合状態では、支持基台の支持領域に固定プレートを確実に装着するのが難しく、また切断した際にはガタが生じ易くなる。
【０００７】
また、第１挿入列孔（複数の第１挿入孔）が支持基台における支持領域の幅方向の中央線よりも片側（片側係合突条が配設された側）に配設され、第２挿入孔列（複数の第２挿入孔）がこの支持領域の幅方向の中央線よりも他側（他側係合突条が配設された側）に配設されている（換言すると、第１挿入孔列に固定用プレート側の第１ダウエルピン列が挿入され、第２挿入孔列にその第２ダウエルピン列が挿入される）ので、歯科技工作業の切断の際に第１及び第２ダウエルピン列、特に第２ダウエルピン列の複数の第２ダウエルピンを切断するおそれがあった。
【０００８】
特に、歯形模型が全顎タイプの場合、固定用プレートには、歯の数に対応して、第１ダウエルピン列において１４本の第１ダウエルピンが設けられ、また第２ダウエルピン列において１４本の第２ダウエルピンが設けられ、またこのことに関連して、支持基台には、第１ダウエルピン列（１４本の第１ダウエルピン）に対応して第１挿入孔列（１４個の第１挿入孔）が設けられ、また第２ダウエルピン列（１４本の第２ダウエルピン）に対応して第２挿入孔列（１４個の第２挿入孔）が設けられる。
【０００９】
このような構成では、この支持基台における支持領域の長手方向の中央部及びその近傍では、隣接する第２ダウエルピン（及び第１ダウエルピン）の間隔が狭くなり、それ故に、切断の際に作業ミスにより第２ダウエルピン（又は第１ダウエルピン）を切断し易くなる。切断作業中に第２ダウエルピン（第２ダウエルピン）を切断すると、この歯科技工作業を最初からやらなければならず、歯形模型を再度取り直しするようになる。尚、このようなダウエルピンの切断のおそれは、ダウエルピン列が１列に配設された形態のものにおいても同様に生じる。
【００１０】
本発明の目的は、固定プレート側のダウエルピンを支持基台側の挿入孔に挿入することにより、この固定プレートを支持基台にガタなく確実に装着することができる歯科技工用作業模型及びその支持基台を提供することである。
【００１１】
本発明の他の目的は、歯形模型切断の際に発生するおそれのあるダウエルピンの切断を少なくすることができる歯科技工用作業模型及びその支持基台を提供することである。
【課題を解決するための手段】
【００１２】
本発明の請求項１に記載の歯科技工用作業模型は、歯形模型が固定される固定用プレートと、前記固定用プレートに植設されたダウエルピン列と、前記固定用プレートを支持するための支持基台と、を備え、前記ダウエルピン列は、間隔を置いて配設された複数のダウエルピンから構成された歯科技工用作業模型であって、
前記支持基台の上面に設けられた支持領域には、前記ダウエルピン列に対応して挿入孔列が設けられ、前記挿入孔列は、前記ダウエルピン列の前記複数のダウエルピンに対応して設けられた複数の挿入孔から構成されており、
前記支持基台における前記支持領域の片側側部及び他側側部には、上方に突出する片側係合突条及び他側係合突条が設けられ、また、前記支持領域における前記複数の挿入孔の周囲には、上方に突出する環状係合突部が設けられ、前記環状係合突部の外周面には、前記片側係合突条側に延びる第１係合補助突条が設けられており、
前記固定用プレートの下面には、前記支持領域の前記片側係合突条及び前記他側係合突条に対応して片側係合凹条及び他側係合凹条が設けられ、また前記支持領域の前記複数の環状係合突部に対応して複数の環状係合凹部が設けられているとともに、前記第１係合補助突条に対応して第１係合補助凹条が設けられていることを特徴とする。
【００１３】
また、本発明の請求項２に記載の歯科技工用作業模型では、前記挿入孔列は、前記支持基台の前記片側係合突条及び前記他側係合突条の間に１列設けられ、前記挿入孔列の前記複数の挿入孔の周囲に前記環状係合突部が設けられていることを特徴とする。
【００１４】
また、本発明の請求項３に記載の歯科技工用作業模型では、前記挿入孔列の前記複数の挿入孔は、前記支持基台における前記支持領域の幅方向の中央線よりも他側に配置され、前記第１係合補助突条は、前記複数の挿入孔の周囲に設けられた前記環状係合突部の外周面から前記片側係合突条側にＶ字状に設けられていることを特徴とする。
【００１５】
また、本発明の請求項４に記載の歯科技工用作業模型では、前記挿入孔列の前記複数の挿入孔の周囲に設けられた前記環状係合突部には、前記第１係合補助突条に加えて第２係合補助突条が設けられており、前記第１係合補助突条は、前記環状係合突部の外周面から前記片側係合突条側に延びており、前記第２係合補助突条は、前記環状係合突部の外周面から前記他側係合突条側に延びていることを特徴とする。
【００１６】
また、本発明の請求項５に記載の歯科技工用作業模型では、前記環状係合突部から前記片側係合突条側に延びる前記第１係合補助突条は、前記環状係合突部から前記他側係合突条側に延びる前記第２係合補助突条よりも長く延びていることを特徴とする。
【００１７】
また、本発明の請求項６に記載の歯科技工用作業模型では、前記挿入孔列は、前記支持基台の前記片側係合突条及び前記他側係合突条の間に２列設けられ、前記片側係合突部側に位置する第１挿入孔列の複数の第１挿入孔の周囲には、第１環状係合突部が設けられ、前記第１係合補助突条は、前記第１環状係合突部の外周面から前記片側係合突条側に延びていることを特徴とする。
【００１８】
また、本発明の請求項７に記載の歯科技工用作業模型では、前記支持基台の前記他側係合突条側に位置する第２挿入孔列の複数の第２挿入孔の周囲には、第２環状係合突部が設けられ、前記第１挿入孔列の前記複数の第１挿入孔の周囲の第１環状係合突部と、この第１環状係合突部と対応する前記第２挿入孔列の前記複数の第２挿入孔の周囲の第２環状係合突部とが、相互につながるように設けられていることを特徴とする。
【００１９】
また、本発明の請求項８に記載の歯科技工用作業模型では、前記第１及び第２挿入孔列の前記複数の第１及び第２挿入孔は、前記支持基台における前記支持領域の幅方向の中央線よりも他側に配置され、又は前記第１挿入孔列の前記複数の第１挿入孔は、前記支持領域の幅方向の中央線の上に配置され、前記第１係合補助突条は、前記複数の第１挿入孔の周囲に設けられた前記第１環状係合突部の外周面から前記片側係合突条側にＶ字状に設けられていることを特徴とする。
【００２０】
また、本発明の請求項９に記載の歯科技工用作業模型では、前記第２挿入孔列の前記複数の第２挿入孔の周囲に設けられた前記第２環状係合突部には、第２係合補助突条が設けられており、前記第１係合補助突条は、前記第１環状係合突部の外周面から前記片側係合突条側に延びており、前記第２係合補助突条は、前記第２環状係合突部の外周面から前記他側係合突条側に延びていることを特徴とする。
【００２１】
また、本発明の請求項１０に記載の歯科技工用作業模型では、前記第１環状係合突部から前記片側係合突条側に延びる前記第１係合補助突条は、前記第２環状係合突部から前記他側係合突条側に延びる前記第２係合補助突条よりも長く延びていることを特徴とする。
【００２２】
また、本発明の請求項１１に記載の歯科技工用作業模型の支持基台は、歯形模型が固定される固定用プレートを支持するための支持基台本体を備えた歯科技工用作業模型の支持基台であって、
前記支持基台本体の上面に設けられた支持領域には、前記固定プレートに設けられたダウエルピン列に対応して挿入孔列が設けられ、前記挿入孔列は、前記固定プレートのダウエルピン列の前記複数のダウエルピンに対応して設けられた複数の挿入孔から構成されており、
前記支持基台における前記支持領域の片側側部及び他側側部には、上方に突出する片側係合突条及び他側係合突条が設けられ、また、前記支持領域における前記複数の挿入孔の周囲には、上方に突出する環状係合突部が設けられ、前記環状係合突部の外周面には、前記片側係合突条側に延びる係合補助突条が設けられており、
前記固定用プレートの下面には、前記支持領域の前記片側係合突条及び前記他側係合突条に対応して片側係合凹条及び他側係合凹条が設けられ、また前記支持領域の前記複数の環状係合突部に対応して複数の環状係合凹部が設けられているとともに、前記係合補助突条に対応して係合補助凹条が設けられていることを特徴とする。
【００２３】
また、本発明の請求項１２に記載の歯科技工用作業模型の支持基台では、前記挿入孔列は、前記支持基台本体の前記片側係合突条及び前記他側係合突条の間に１列設けられ、前記挿入孔列の前記複数の挿入孔の周囲に前記環状係合突部が設けられていることを特徴とする。
【００２４】
更に、本発明の請求項１３に記載の歯科技工用作業模型の支持基台では、前記挿入孔列は、前記支持基台本体の前記片側係合突条及び前記他側係合突条の間に２列設けられ、前記片側係合突部側に位置する第１挿入孔列の複数の第１挿入孔の周囲には、環状係合突部が設けられ、前記係合補助突条は、前記環状係合突部の外周面から前記片側係合突条側に延びていることを特徴とする。
【発明の効果】
【００２５】
本発明の請求項１に記載の歯科技工用作業模型及び請求項１１に記載の歯科技工用作業模型の支持基台によれば、支持基台（支持基台本体）の支持領域には、固定用プレート側のダウエルピン列（即ち、複数のダウエルピン）が挿入される挿入孔列（即ち、複数の挿入孔）が設けられている。また、支持基台側の片側側部及び他側側部に片側係合突条及び他側係合突条が設けられ、この構成に対応して、固定用プレート側に片側係合凹条及び他側係合凹条が設けられ、更に支持基台側の複数の挿入孔の周囲に環状係合突部が設けられ、この構成に対応して、固定プレート側に環状係合凹部が設けられ、加えて各環状係合突部の外周面には片側係合突条側に延びる係合補助突条が設けられ、この構成に対応して、固定用プレート側に複数の係合補助凹条が設けられている。このように構成されているので、支持基台側の挿入孔列に固定用プレート側のダウエルピン列を挿入して装着すると、支持基台側の片側係合突条及び他側係合突条と固定用プレート側の片側係合凹条及び他側係合凹条とが係脱自在に係合され、また支持基台側の環状係合突部と固定プレート側の環状係合凹部とが係脱自在に係合され、更に支持基台側の係合補助突条と固定用プレート側の係合補助凹条とが係脱自在に係合され、かくして、支持基台と固定用プレートとを確実に係合させ、この固定用プレートに固定された歯科模型を切断した際にも、切断した固定用プレートのガタ及び回動を確実に抑えることができる。
【００２６】
また、本発明の請求項２に記載の歯科技工用作業模型及び請求項１２に記載の歯科技工用作業模型の支持基台によれば、支持基台（支持基台本体）の片側係合突条及び他側係合突条との間に１列の挿入孔列が設けられているので、シングルピンタイプに好都合に適用することができる。
【００２７】
また、本発明の請求項３に記載の歯科技工用作業模型によれば、挿入孔列の複数の挿入孔は、支持領域の幅方向の中央線よりも他側（即ち、他側係合突条が設けられた側）に配置されているので、この支持領域の片側（ダウエルピンを境にしてその片側の領域）の幅は、その他側（ダウエルピンを境にしてその他側の領域）の幅よりも大きくなり、従って、他側係合突条側より切断することにより、固定用プレートに固定された歯形模型を切断する際におけるダウエルピンの切断を少なくすることができる。
【００２８】
また、環状係合突部の外周面に一対の第１係合補助突条がＶ字状に片側係合突条側に拡がるように設けられているので、支持領域の片側領域部（ダウエルピンを境にしてその片側の領域）の幅が広いにもかかわらず、一対の係合補助突部により、切断した部分のガタ、回動を抑えることができる。
【００２９】
また、本発明の請求項４に記載の歯科技工用作業模型によれば、支持基台側の環状係合突部には、第１係合補助突条に加えて第２係合補助突条が設けられ、第１係合補助突条は、環状係合突部の外周面から片側係合突条側に延び、第２係合補助突条は、環状係合突部の外周面から他側係合突条側に延びているので、支持基台と固定用プレートとを確実に係合させることができるとともに、歯科模型を切断した際にも、切断した固定用プレートのガタ及び回動を一層確実に抑えることができる。
【００３０】
本発明の請求項５に記載の歯科技工用作業模型によれば、第１係合補助突条は、第２係合補助突条よりも長く延びているので、切断した固定用プレートのガタ及び回動を一層確実に且つ効果的に抑えることができる。
【００３１】
また、本発明の請求項６に記載の歯科技工用作業模型及び請求項１３に記載の支持基台によれば、挿入孔列は、支持基台の片側係合突条及び他側係合突条の間に２列設けられているので、ダブルピンタイプのものに好都合に適用することができる。
【００３２】
また、本発明の請求項７に記載の歯科技工用作業模型によれば、第１挿入孔列の複数の第１挿入孔の周囲に第１環状係合突部が設けられ、第２挿入孔列の複数の第２挿入孔の周囲に第２環状係合突部が設けられ、これら第１環状係合突部と対応する第２環状係合突部とが相互につながるように設けられているので、ダブルピンタイプのものにおいて支持基台の支持領域に固定プレートをより確実に装着することができる。
【００３３】
また、本発明の請求項８に記載の歯科技工用作業模型によれば、第１及び第２挿入孔列の複数の第１及び第２挿入孔は、支持基台における支持領域の幅方向の中央線よりも他側に配置され（又は第１挿入孔列の複数の第１挿入孔は、支持領域の幅方向の中央線の上に配置されている）、一対の第１係合補助突条は、第１環状係合突部の外周面から片側係合突条側にＶ字状に設けられているので、この支持領域の片側（第２ダウエルピンから片側係合突条までの領域）の幅は、その他側（第１ダウエルピンから他側係合突条までの領域）の幅よりも大きくなり、従って、この他側係合突条側より切断することにより、固定用プレートに固定された歯形模型を切断する際におけるダウエルピンの切断を少なくすることができる。
【００３４】
また、本発明の請求項９に記載の歯科技工用作業模型によれば、第１係合補助突条は、第１環状係合突部の外周面から片側係合突条側に延び、第２係合補助突条は、第２環状係合突部の外周面から他側係合突条側に延びているので、支持基台と固定用プレートとを確実に係合させることができるとともに、歯科模型を切断した際にも、切断した固定用プレートのガタ及び回動を一層確実に抑えることができる。
【００３５】
更に、本発明の請求項１０に記載の歯科技工用作業模型によれば、第１環状係合突部から延びる第１係合補助突条は、第２環状係合突部から延びる第２係合補助突条よりも長くなっているので、切断した固定用プレートのガタ及び回動を一層確実に且つ効果的に抑えることができる。
【図面の簡単な説明】
【００３６】
【図１】本発明に従う歯科技工用作業模型の第１の実施形態を示す斜視図。
【図２】図１の作業模型にて固定用プレートを取り付ける前の状態を示す斜視図。
【図３】図１におけるＩＩＩ−ＩＩＩ線による拡大断面図。
【図４】図１の作業模型を製作する前の状態を示す分解斜視図。
【図５】支持基台に装着した成型用基枠内に石膏を注入した状態を示す断面図。
【図６】本発明に従う歯科技工用作業模型の第２の実施形態における支持基台の上面を示す平面図。
【図７】図６におけるＶＩＩ−ＶＩＩ線による断面図。
【図８】本発明に従う歯科技工用作業模型の第３の実施形態における支持基台を示す平面図。
【図９】本発明に従う歯科技工用作業模型の第４の実施形態における支持基台を示す斜視図。
【図１０】本発明に従う歯科技工用作業模型の第５の実施形態における支持基台を示す平面図。
【図１１】本発明に従う歯科技工用作業模型の第６の実施形態における支持基台を示す平面図。
【図１２】本発明に従う歯科技工用作業模型の第７の実施形態における支持基台を示す平面図。
【図１３】本発明に従う歯科技工用作業模型の第８の実施形態における支持基台を示す平面図。
【図１４】本発明に従う歯科技工用作業模型の第９の実施形態における支持基台を示す平面図。
【図１５】本発明に従う歯科技工用作業模型の第１０の実施形態における支持基台を示す平面図。
【図１６】本発明に従う歯科技工用作業模型の第１１の実施形態における支持基台を示す平面図。
【図１７】本発明に従う歯科技工用作業模型の第１２の実施形態における支持基台を示す平面図。
【図１８】本発明に従う歯科技工用作業模型の第１３の実施形態における支持基台を示す平面図。
【発明を実施するための形態】
【００３７】
以下、添付図面を参照して、本発明に従う歯科技工用作業模型及びこれに用いる支持基台の各種実施形態について説明する。
【００３８】
〈第１の実施形態〉
まず、図１〜図５を参照して、第１の実施形態の歯科技工用作業模型（及びその支持基台）について説明する。図１〜図３において、図示の歯科技工用作業模型２は、歯形模型４が固定された固定用プレート６と、固定用プレート６に植設されたダウエルピン列８と、固定用プレート６を支持するための支持基台１０と、を備え、ダウエルピン列８は、複数（この具体例では、５本）のダウエルピン１１から構成されている。
【００３９】
支持基台１０は支持基台本体１２を備え、この支持基台本体１２は、例えばポリエチレン樹脂やポリプロピレン樹脂、ナイロン樹脂、ウレタン樹脂などの合成樹脂から形成される。この支持基台本体１２は、横長且つ筒状の周側壁１４と、周側壁１４の上面を覆う横長の上壁１６とを有している。この実施形態では、上壁１６の上面（支持基台１０の上面を規定する部分）の全域は、図３から理解されるように、固定用プレート６を支持するための支持領域１８として機能する。
【００４０】
この支持基台本体１２の支持領域１８には、挿入孔列２０が設けられ、この挿入孔列２０は、その長手方向（図１及び図２において左下から右上の方向、図３において紙面に垂直な方向）に配設されている。この挿入孔列２０は、その長手方向に沿って間隔を置いて配設された複数（この形態では、５個）の挿入孔２２から構成されている。
【００４１】
周側壁１４の内側に形成された内部空間２３には、各挿入孔２２に対応して上壁１６の下面から下方に延びる突出部２４が設けられ、挿入孔列２０の各挿入孔２２は上壁１６及び突出部２４を貫通して設けられている（図３参照）。これら挿入孔２２は、突出部２４の上端部から下端部に向けて内径が漸減するテーパ状に形成されている。
【００４２】
この形態では、各挿入孔２２の先端部に拡径部２５が設けられ、支持基台１０に固定用プレート６を装着した状態において、ダウエルピン列８のダウエルピン１１の先端部は、挿入孔列２０の対応する挿入孔２２２の拡径部２５内に位置し、この拡径部２５を超えて下方に突出することはなく、このように構成することにより、取扱い時の安全性を確保することができる。
【００４３】
また、上壁１６の上面（即ち、支持領域１８）における片側側部（図１及び図２において右下側の側部、図３において右側の側部）には、上方に突出する片側係合突条２６が設けられ、その他側側部には（図１及び図２において左上側の側部、図３において左側の側部）には、上方に突出する他側係合突条２８が設けられている。片側係合突条２６及び他側係合突条２８は、相互に対向して配置され、支持基台本体１２の長手方向略全長にわたって設けられ、その両端部においては、片側係合突条２６及び他側係合突条２８は設けられていない。片側係合突条２６及び他側係合突条２８の上壁１６からの突出高は、約１．０〜３．０ｍｍ程度に設定される。
【００４４】
この形態では、挿入孔列２０（複数の挿入孔２２）は、支持基台１０（支持基台本体１２）の上面の他側係合突条２８の内側に配設され、支持基台１０の上面の他側、即ち支持領域１８の幅方向の中心線Ｐ１（図３参照）よりも他側（即ち、他側係合突条２８側）に配置されている。
【００４５】
このように構成した場合、支持基台１０（支持基台本体１２）の片側から挿入孔列２０の挿入孔２２（即ち、この挿入孔２２に挿入されたダウエルピン１１の中心軸線）までの距離Ｗ１（換言すると、片側係合突条２６から挿入孔２２の中心Ｐ２までの間隔）は、支持基台１０の他側から挿入孔列２０の挿入孔２２（即ち、この挿入孔２２に挿入されたダウエルピン２２の中心軸線）までの距離Ｗ２（換言すると、他側係合突条２８から挿入孔２２の中心Ｐ２までの間隔）よりも大きくなり（Ｗ２＜Ｗ１）、これによって、後述する如くして歯科模型４を切断した際におけるダウエルピン１１の切断、損傷を少なく抑えることができる。
【００４６】
ダウエルピン列８の複数のダウエルピン１１として、その基部の外径が例えば２５〜３２ｍｍ程度のもの（ダウエルピンとしては比較的太いもの）を用いることができ、その基部の外径が例えば１７〜２４ｍｍ程度のもの（ダウエルピンとしては比較的細いもの）を用いるようにしてもよい。
【００４７】
また、このことに関連して、この支持基台１０の支持領域１８には、挿入孔列２０の各挿入孔２２に対応して、環状係合突部３０及び係合補助突条３２が設けられている。環状係合突部３０は、各挿入孔２２の周囲に環状に設けられ、係合補助突条３２は、この環状係合突部３０の外周面から支持基台１０の片側係合突条２６側に（具体的には、後述する対応の位置決め用突部３３に向けて）直線状に延びている。この係合補助突条３２は、適宜の長さに設定することができ、例えば、環状係合突部３０の外周面から片側係合突条２６の内側面までの距離の中間点又は）この中間点を超えて片側係合突条２６側まで延びるように設けることができる。
【００４８】
この実施形態では、複数の係合補助突条３２は、片側係合突条２６側に直線状に延びているが、例えば、円弧状、Ｓ字状などの曲線状に延びるように設けるようにしてもよい。また、複数の係合補助突条３２の高さは、図３に示すように、片側係合突条２６の高さよりも幾分低くなるように設けられているが、この片側係合突条２６と同じ高さレベルとなるように設けるようにしてもよい。
【００４９】
また、周側壁１４の外周面には、挿入孔列２０の複数の挿入孔２２の各々に対応して（換言すると、固定用プレート６のダウエルピン列８の複数のダウエルピン１１の各々に対応して）位置決め用突部３３が設けられている。この位置決め用突部３３は、挿入孔列２０（複数の挿入孔２２）を挟んでそれらの両側に配設されている。
【００５０】
固定用プレート６は石膏から形成されたプレート本体３４を備え、このプレート本体３４は、支持基台本体１２の上壁１６の形状に対応した横長の形状を有している。この固定用プレート６には、支持基台本体１２の挿入孔列２０の各挿入孔２２に対応してダウエルピン列８の複数のダウエルピン１１が植設されている。各ダウエルピン１１は、上述のように、各挿入孔２２がテーパ状に形成されていることに対応して、その基端部から先端部に向けて外径が漸減するテーパ状に形成されている。また、固定用プレート６に埋設されるダウエルピン１１の基端部には、固定用プレート６に対する固定強度を高めるためにローレット加工が施されている。
【００５１】
また、固定用プレート６（即ち、プレート本体３４）の下面（即ち、ダウエルピン１１が突出する側の面）における片側側部には、支持基台１０側の片側係合突条２６に対応して片側係合凹条３６が設けられ、またその他側側部には、支持基台１０の他側係合突条２８に対応して他側係合凹条３８が設けられている（図３参照）。これら片側係合凹条３６及び他側係合凹条３８は、上方に延びるとともに固定用プレート６の長手方向に延びている。
【００５２】
この固定用プレート６（プレート本体３４）の下面には、更に、支持基台１０側の環状係合突部３０の各々に対応して環状係合凹部４０が設けられ、またこの環状係合突部３０から延びる係合補助突条３２に対応して係合補助凹条４２が設けられている。これら係合補助凹条４２は、環状係合凹部４０の周面から片側係合凹条３６に向けて直線状に延びている。
【００５３】
この固定用プレート６の上面には、石膏から形成された歯形模型４（本実施形態では、部分タイプのもの）が固定されている。この固定用プレート６は、ダウエルピン列８（複数のダウエルピン１１）を挿入孔列２０（複数の挿入孔２２）に着脱自在に挿入することにより、支持基台本体１２の上壁１６の上面（即ち、支持領域１８）に着脱自在に支持される。この支持状態においては、図３に示すように、固定用プレート６（プレート本体３４）側の片側係合凹条３６及び他側係合凹条３８と支持基台１０（支持基台本体１２）側の片側係合突条２６及びの他側係合突条２８とが相互に着脱自在に係合されるとともに、支持基台１０側の環状係合突部３０及び係合補助突条３２と固定プレート６側の環状係合凹部４０及び係合補助凹条４２とが相互に着脱自在に係合される。
【００５４】
次に、主として図３〜図５を参照して、上述した歯科技工用作業模型２の製造方法について説明する。この作業模型２を製作するには、歯型（図示せず）に石膏を流し込んで歯形模型４を製作し、また、合成樹脂による例えば射出成形によって支持基台１０を製造する。そして、図４に示すように、支持基台１０（支持基台本体１２）の挿入孔列２０の各挿入孔２２にダウエルピン１１を先端部側から着脱自在に挿入する（ダウエルピン挿入工程）。このように挿入すると、ダウエルピン１１の基端部は、支持基台１０の上面（上壁１６の上面）、この形態では環状係合突部３０の上面から上方に所定長さ（例えば、約２〜４ｍｍ程度）突出する（図５参照）。
【００５５】
その後、図４及び図５に示すように、支持基台本体１２の上部に成型用基枠４４を着脱自在に装着する（基枠装着工程）。ここで、基枠装着工程で用いる成型用基枠４４について説明すると、成型用基枠４４は全体として略矩形状の外形を有し、例えばシリコンゴムや合成ゴムなどのゴム材料から形成されている。成型用基枠４４の内側には上下方向に貫通する貫通開口４５が設けられ、この貫通開口４５は、支持基台本体１２の上部の形状に対応した形状を有している。
【００５６】
成型用基枠４４を支持基台本体１２の上部に装着すると、図５に示すように、支持基台本体１２の上壁１６及び周側壁１４の上端部が貫通開口４４の下端部に挿入され、成型用基枠４４の内周面が周側壁１４の外周面に密着するように取り付けられる。このとき、成型用基枠４４の下端部が支持基台本体１２の位置決め用突部３３に当接支持されることにより、成型用基枠４４が支持基台本体１２に対して位置決めされる。この装着状態では、成型用基枠４４は、支持基台本体１２の上壁１６の上面から上方に所定高さ（例えば、約７〜１０ｍｍ程度）突出されるようになり、支持基台本体１２の上面及び成型用基枠４４の内周面によって注入空間４６が規定される。
【００５７】
その後、固定用プレート６を成型するための石膏４８を注入空間４６に注入する（プレート成形工程）。この石膏４８は、ダウエルピン１１の基端部が石膏４８に完全に浸漬されるまで注入される。このとき、支持基台本体１２の上壁１６の両端部には片側係合突条２６及び他側係合突条２８が設けられていないので、注入した石膏４８が上壁１６の両端部に流れるようになり、石膏４８を上壁１６の全域にほぼ均一に注入することができる。
【００５８】
注入空間４６内に注入した石膏４８が硬化することにより、複数のダウエルピン１１がプレート本体３４に植設される。また、このプレート本体３４に、片側係合凹条３６（支持基台１０側の片側係合突条２６に対応する凹条）、他側係合凹条３８（支持基台１０側の他側係合突条２８に対応する凹条）、環状係合凹部４０（支持基台１０側の環状係合突部３０に対応する凹部）及び係合補助凹条４２（支持基台１０側の係合補助突条３２に対応する凹条）が形成される。
【００５９】
しかる後、成型用基枠４４を支持基台本体１２の上部から取り外し、固定用プレート６の上面に例えば研削加工を施して平坦となるように加工する（研削加工工程）。この加工は、固定用プレート６を支持基台本体１２の上面に装着させた状態で行われ、例えばダウエルピン１１の基端面が外部に露出するまで行われる。
【００６０】
その後、研削加工を施した固定用プレート６（プレート本体３４）の上面に歯形模型４を接着剤等を用いて固定し（歯形模型固定工程）、このようにして図１〜図３に示す通りの歯科技工用作業模型２を製作することができる。そして、この作業模型２を用いて作業を行うときには、固定用プレート６を支持基台１０に支持させた状態で、図１において一点鎖線５２で示すように歯形模型４の所定部位（即ち、隣接する２ダウエルピン１１の間の部位）を固定用プレート６とともに切断工具（図示せず）を用いて切断する（模型切断工程）。このとき、固定用プレート６を切断することによって、支持基台１０側の片側係合突条２６及び他側係合突条２８も切断工具による切り込み５４が形成されるようになる。このように切断することによって、歯形模型４の切断した部位を固定用プレート６及びダウエルピン１１とともに残りの部位から取り出すことができる。尚、上述したように、支持基台本体１２の周側壁１４には挿入孔列２０の複数の挿入孔２２（これら挿入孔２２にダウエルピン１１が挿入される）に対応して位置決め用突部３３が設けられているので、歯形模型４を切断する際に、この位置決め用突部３３を目視することによって、ダウエルピン１１の配設箇所を容易に確認することができる。
【００６１】
上述した形態では、歯形模型固定工程において、固定用プレート６の上面に歯形模型４を接着剤等を用いて固定するようにしているが、このような構成に代えて、注入空間４６に石膏４８を注入した後に、注入した石膏４８の硬化前に歯形模型４を押し付け、石膏４８の硬化により固定用プレート６の上面に歯形模型４を固定するようにしてもよい。
【００６２】
このようにして製作された歯科技工用作業模型２（その支持基台１０）は、次の通りの特徴を有する。まず、挿入孔列２０の複数の挿入孔２２（具体的には、挿入孔２２の中心線Ｐ２であって、これに装着されるダウエルピン１１の中心軸線）が支持基台１０の他側側、即ちその幅方向の中心線Ｐ１よりも他側側（他側係合突条２８側）に配置されているので、支持基台１０の片側係合突条２６から挿入孔２２（その中心線Ｐ２）までの距離Ｗ１は、支持基台１０の他側係合突条２８から挿入孔２２（その中心線Ｐ２）までの距離Ｗ２よりも大きくなる（Ｗ２＜Ｗ１）。従って、支持基台１０の周側壁１４に設けられた位置決め用突部３３（他側係合突条２８側の位置決め用突部）とこれに対応する挿入孔２２（これに挿入されたダウエルピン１１）との間の間隔が短くなるために、例えば支持基台１０の他側から見て歯形模型４を切断する際に切断工具（図示せず）が少し傾いた状態で切断したとしても２ダウエルピンを切断するおそれが従来よりも少なくなり、歯形模型４の切断作業の切断ミスを大きく減らすことができる。
【００６３】
また、支持基台１０（支持基台本体１２）側に片側係合突条２６及び他側係合突条２８が設けられているとともに、固定用プレート６（プレート本体３４）側に片側係合凹条３６及び他側係合凹条３８が設けられているので、支持基台１０の上面（支持領域１８）に固定用プレート６を装着した状態においては、支持基台１０側の片側係合突条２６及び他側係合突条２８と固定用プレート６側の片側係合凹条３６及び他側係合凹条３８とが相互に係脱自在に係合する。
【００６４】
加えて、支持基台１０（支持基台本体１２）の挿入孔列２０の複数の挿入孔２２の各々に対応して環状係合突部３０及び係合補助突条３２が設けられているとともに、固定用プレート６（プレート本体３４）に各環状係合突部３０及び各係合補助突条３２に対応して環状係合凹部４０及び係合補助凹条４２が設けられているので、支持基台１０の上面（支持領域１８）に固定用プレート６を装着した状態においては、支持基台１０側の環状係合突部３０及び係合補助突条３２と固定用プレート６側の環状係合凹部０及び係合補助凹条４２とが相互に係合する。
【００６５】
従って、固定用プレート６を支持基台１０に装着した状態においては、支持基台１０と固定用プレート６との係合状態が確実に保たれて固定用プレート６のガタなどが確実に抑えられ、また歯形模型４を切断して固定用プレート６の一部を繰り返して抜差しても支持基台１０に対する相対的なガタ、回動なども確実に抑えられる。
【００６６】
〈第２の実施形態〉
次いで、図６及び図７を参照して、本発明に従う歯科技工用作業模型の第２の実施形態について説明する。図６及び図７においては、第２の実施形態の歯科技工用作業模型の支持基台のみを示している。尚、以下の実施形態において、第１の実施形態と実質上同一の部材には同一の参照番号を付し、その説明を省略する。
【００６７】
この第２の実施形態の歯科技工用作業模型の支持基台１０Ａにおいては、図６及び図７と図２及び図３とを対比することによって理解される如く、片側係合突条２６Ａ及び他側係合突条２８Ａに関連する構成に修正が施されている。図６及び図７において、この支持基台１０Ａ（支持基台本体１２Ａ）の片側側部に設けられた片側係合突条２６Ａに片側傾斜突部６２が設けられている。この片側傾斜突部６２は、片側係合突条２６Ａの内側面から内側に延び、それらの上面は内側に向けて下方に傾斜して上壁１６の上面まで延びている（図７参照）。
【００６８】
また、支持基台１０Ａ（支持基台本体１２Ａ）の他側側部に設けられた他側係合突条２８Ａには、他側傾斜突部６６が設けられており、この他側傾斜突部６６は、他側係合突条２８Ａの一端側から他端側までほぼ全長にわたって設けられている。この他側傾斜突部６６は、他側係合突条２８Ａの内側面から内側に延び、その上面は内側に向けて下方に傾斜して上壁１６の上面まで延びている（図７参照）。
【００６９】
これら片側傾斜突部６２及び他側傾斜突部６４の傾斜角度θ１（図７）（上壁１６の上面から上方への傾斜角度）及び他側傾斜突部６６の傾斜角度θ２（図７）（上壁１６の上面から上方への傾斜角度）は、例えば３０〜７０度程度に設定され、４０〜６０度の角度範囲が好ましい。
【００７０】
この第２実施形態では、片側傾斜突部６２及び他側傾斜突部６４の全体においてその長手方向に沿って（即ち、この片側傾斜突部６２に沿って）間隔をおいて複数の片側係合凹部６８及び他側係合凹部７０が設けられ、これら片側係合凹部６８及び他側係合凹部７０は、支持基台本体１２Ａの上壁１６の上面まで延びている。尚、これら片側係合凹部６８及び／又は他側係合凹部７０を省略するようにしてもよい。
【００７１】
この第２の実施形態の歯科技工用作業模型では、固定用プレート（図示せず）は、上述した第１の実施形態と同様に、この支持基台１０Ａの上端部に位置決め用突部３２に当接支持されるように成型用基枠（図示せず）を取り付け、この成型用基枠内に規定された注入空間に石膏を注入することにより形成される。
【００７２】
このようなことから、支持基台１０Ａの構成が上述した通りである場合、この支持基台１０Ａの上面に対応する固定用プレートの下面は、図面でもって示していないが、次の通りの構成となる。即ち、支持基台１０Ａ（支持基台本体１２Ａ）の片側係合突条２６Ａに対応して固定用プレート（プレート本体）の片側側部に片側係合凹条が設けられ、その他側係合突条２８Ａに対応して固定用プレートの他側側部に他側係合凹条が設けられる。また、支持基台１０Ａの各環状係合突部３０及び各係合補助突条３２Ａに対応して固定用プレートには環状係合凹部及び係合補助凹条が設けられる。
【００７３】
更に、支持基台１０Ａの片側傾斜突部６２及び他側傾斜突部６４に対応して、固定用プレートの片側側部に片側傾斜凹部及び他側傾斜凹部が設けられ、更にまた、支持基台１０Ａの片側傾斜突部６２及び他側傾斜突部６４に設けられた複数の片側係合凹部６８及び他側係合凹部７０に対応して、固定用プレートの片側傾斜凹部及び他側傾斜凹部に複数の片側係合突部及び他側係合突部が設けられる。この第２の実施形態の歯科技工用作業模型のその他の構成は、上述した第１の実施形態と実質上同一である。
【００７４】
この第２の実施形態の歯科技工用作業模型にて、支持基台１０Ａ（支持基台本体１２Ａ）の上面（支持領域１８Ａ）に固定用プレートを支持する支持状態（ダウエルピン列の複数のダウエルピンが挿入孔列２０の複数の挿入孔２２に挿入されて支持された状態）（この支持状態は図示していない）においては、支持基台１０Ａ（支持基台本体１２Ａ）側の片側係合突条２６Ａ及び他側係合突条２８Ａと固定用プレート（プレート本体）側の片側係合凹条及び他側係合凹条（いずれも図示せず）とが相互に係合するとともに、支持基台１０Ａ側の環状係合突部３０及び係合補助突条３０Ａと固定用プレート側の環状係合凹部及び係合補助凹条（図示せず）とが相互に係合する。
【００７５】
更に、支持基台１０Ａ側の片側傾斜突部６２及び他側傾斜突部６４と固定用プレートの片側傾斜凹部及び他側傾斜凹部（いずれも図示せず）とが相互に係合するとともに、支持基台１０Ａ側の複数の片側係合凹部６８及び他側係合凹部７０と固定用プレート側の複数の片側係合突部及び他側係合突部（いずれも図示せず）が相互に係合し、これにより、支持基台１０Ａと固定用プレート（図示せず）との係合状態をよりガタ、回動などのない状態に保持することができる。
【００７６】
〈第３の実施形態〉
次に、図８を参照して、本発明に従う歯科技工用作業模型の第３の実施形態について説明する。図８においては、第３の実施形態の歯科技工用作業模型の支持基台のみを示している。この第３の実施形態の歯科技工用作業模型の支持基台１０Ｂにおいては、図８と図６を対比することによって理解される如く、各挿入孔２０に設けられた環状係合突部３０Ｂ及び係合補助突条３２Ｂに関連する構成に修正が施されている。
【００７７】
図８において、この支持基台１０Ｂ（支持基台本体１２Ｂ）の支持領域１８Ｂに設けられた挿入孔列２０の各挿入孔２２には、第２の実施形態（図６及び図７）と同様に、環状係合突部３０Ｂが設けられ、かかる環状係合突部３０Ｂに一対の係合補助突条３２Ｂが設けられている。一対の係合補助突条３２Ｂは、環状係合突条３０Ｂの外周面から片側係合突条２６Ｂ側に延びるように設けられ、この形態では、片側係合突条２６Ｂ側にＶ字状に拡がるように設けられている。この一対の係合補助突条３２Ｂ間の角度θ３は、例えば３０〜１２０度程度に設定される。
【００７８】
この第３の実施形態の歯科技工用作業模型においても、固定用プレート（図示せず）は、上述した第１の実施形態と同様に、この支持基台１０Ｂの上端部に成型用基枠（図示せず）を取り付け、この成型用基枠内に規定された注入空間内に石膏を注入することにより形成されるため、次のような構成となる。即ち、支持基台１０Ｂ（支持基台本体１２Ｂ）の片側係合突条２６Ｂ及び他側係合突条２８Ｂに対応して、固定用プレート（プレート本体）に片側係合凹条及び他側係合凹部が設けられ、また支持基台１０Ｂの片側傾斜突部６２及び他側傾斜突部６４に対応して、固定用プレートに片側傾斜凹部及び他側傾斜凹部が設けられ、更に、支持基台１０Ｂの片側傾斜突部６２及び他側傾斜突部６４に設けられた複数の片側係合凹部６８及び他側係合凹部７０に対応して、固定用プレートの片側傾斜凹部及び他側傾斜凹部に複数の片側係合突部及び他側係合突部が設けられる。更にまた、支持基台１０Ｂの各環状係合突部３０Ｂ及び一対の係合補助突条３２Ｂに対応して固定用プレートには環状係合凹部及び一対の係合補助凹条が設けられる。この第３の実施形態の歯科技工用作業模型のその他の構成は、上述した第２の実施形態と実質上同一である。
【００７９】
この第３の実施形態の歯科技工用歯形模型においては、その基本的構成が上述の第２の実施形態と同様であるので、上述した第２の実施形態と同様の作用効果が達成され、加えて各挿入孔２２に対応して配設された環状係合突部３０Ｂ（これに対応する固定用プレート側の環状係合凹部）に一対の係合補助突条３２Ｂ（これに対応する固定用プレート側の一対の係合補助凹条）が拡がるように設けられているので、かかる一対の係合補助突部３２Ｂにより、切断した部分のガタ、回動を確実に抑えることができる。
【００８０】
〈第４の実施形態〉
次に、図９を参照して、本発明に従う歯科技工用作業模型の第４の実施形態について説明する。図９においては、第４の実施形態の歯科技工用作業模型の支持基台のみを示している。この第４の実施形態の歯科技工用作業模型の支持基台１０Ｃにおいては、図９と図８を対比することによって理解される如く、各挿入孔２２に設けられた環状係合突部３０Ｃ及び係合補助突条３２Ｃに関連する構成に更に修正が施されている。
【００８１】
図９において、この支持基台１０Ｃ（支持基台本体１２Ｃ）の支持領域１８Ｃに設けられた挿入孔列２０の各挿入孔２２には、第３の実施形態（図８）と同様に、環状係合突部３０Ｃが設けられ、かかる環状係合突部３０Ｃに一対の第１係合補助突条３２Ｃ及び一対の第２係合補助突条３５Ｃが設けられている。一対の第１係合補助突条３２Ｃは、環状係合突条３０Ｃの外周面から片側係合突条２６Ｃ側に延びるように設けられ、片側係合突条２６Ｃ側にＶ字状に拡がるように設けられている。また、一対の第２係合補助突条３５Ｃは、環状係合突条３０Ｃの外周面から他側係合突条２８Ｃ側に延びるように設けられ、他側係合突条２６Ｃ側にＶ字状に拡がるように設けられている。一対の第１係合補助突条３２Ｃ間の角度及び一対の第２係合補助突条３５Ｃ間の角度は、例えば３０〜１２０度程度に設定される。尚、片側係合突条２６Ｃ側に延びる第１係合補助突条３２Ｃは、１つ又は３つ以上設けるようにしてもよく、また他側係合突条２８Ｃ側に延びる第２係合補助突条２５Ｃも、１つ又は３つ以上設けるようにしてもよい。
【００８２】
この実施形態では、更に、挿入孔列２０の複数の挿入孔２２が支持基台１０の他側側（他側係合突条２８Ｃ側）に配置され、片側係合突条２６Ｃから挿入孔２２（その中心線）までの距離が他側係合突条２８Ｃから挿入孔２２（その中心線）までの距離よりも長くなっており、このことに関連して、一対の第１係合補助突条３２Ｃの長さが一対の第２係合補助突条３５Ｃの長さよりも長くなっている。
【００８３】
この第４の実施形態の歯科技工用作業模型においても、固定用プレート（図示せず）は、上述した第１の実施形態と同様に、この支持基台１０Ｃの上端部に成型用基枠（図示せず）を取り付け、この成型用基枠内に規定された注入空間内に石膏を注入することにより形成されるため、次のような構成となる。即ち、支持基台１０Ｃ（支持基台本体１２Ｃ）の片側係合突条２６Ｃ及び他側係合突条２８Ｃに対応して、固定用プレート（プレート本体）に片側係合凹条及び他側係合凹部が設けられ、また支持基台１０Ｃの片側傾斜突部６２及び他側傾斜突部６４に対応して、固定用プレートに片側傾斜凹部及び他側傾斜凹部が設けられ、更に、支持基台１０Ｃの片側傾斜突部６２及び他側傾斜突部６４に設けられた複数の片側係合凹部６８及び他側係合凹部７０に対応して、固定用プレートの片側傾斜凹部及び他側傾斜凹部に複数の片側係合突部及び他側係合突部が設けられる。更にまた、支持基台１０Ｃの各環状係合突部３０Ｃ並びに一対の第１係合補助突条３２Ｃ及び一対の第２係合補助突条３５Ｃに対応して固定用プレートには環状係合凹部並びに一対の第１係合補助凹条及び一対の第２係合補助凹条が設けられる。この第４の実施形態の歯科技工用作業模型のその他の構成は、上述した第３の実施形態と実質上同一である。
【００８４】
この第４の実施形態の歯科技工用歯形模型においては、その基本的構成が上述の第３の実施形態と同様であるので、上述した第２の実施形態と同様の作用効果が達成され、加えて各挿入孔２２に対応して配設された環状係合突部３０Ｃ（これに対応する固定用プレート側の環状係合凹部）に一対の第１係合補助突条３２Ｃ（これに対応する固定用プレート側の一対の係合補助凹条）に加えて一対の第２係合補助突条３５Ｃが設けられているので、かかる一対の第１及び第２係合補助突部３２Ｃ，３５Ｃにより、切断した部分のガタ、回動をより確実に抑えることができる。
【００８５】
〈第５の実施形態〉
次に、図１０を参照して、本発明に従う歯科技工用作業模型の第５の実施形態について説明する。図１０においては、第５の実施形態の歯科技工用作業模型の支持基台のみを示している。この第５の実施形態の歯科技工用作業模型の支持基台１０Ｄにおいては、図１０と図９を対比することによって理解される如く、各挿入孔２２に設けられた環状係合突部３０Ｄ及び係合補助突条３２Ｄに関連する構成に更に修正が施されている。
【００８６】
図１０において、この支持基台１０Ｄ（支持基台本体１２Ｄ）の支持領域１８Ｄに設けられた挿入孔列２０の各挿入孔２２には、第４の実施形態（図９）と同様に、環状係合突部３０Ｄが設けられ、かかる環状係合突部３０Ｄの周囲に複数（この形態では、６個）の係合補助突条３２Ｄが設けられている。複数の係合補助突条３２Ｄは、環状係合突条３０Ｄの周方向に間隔をおいて（例えば、等間隔をおいて）設けられ、環状係合突条３０の外周面から放射状に延びるように設けられている。この例では、これら係合補助突条３２Ｄは、実質上同じ長さに形成されている。
【００８７】
この第５の実施形態の歯科技工用作業模型においても、固定用プレート（図示せず）は、上述した第１の実施形態と同様に、この支持基台１０Ｄの上端部に成型用基枠（図示せず）を取り付け、この成型用基枠内に規定された注入空間内に石膏を注入することにより形成されるため、次のような構成となる。即ち、支持基台１０Ｄ（支持基台本体１２Ｄ）の片側係合突条２６Ｄ及び他側係合突条２８Ｄに対応して、固定用プレート（プレート本体）に片側係合凹条及び他側係合凹部が設けられ、また支持基台１０Ｄの片側傾斜突部６２及び他側傾斜突部６４に対応して、固定用プレートに片側傾斜凹部及び他側傾斜凹部が設けられ、更に、支持基台１０Ｄの片側傾斜突部６２及び他側傾斜突部６４に設けられた複数の片側係合凹部６８及び他側係合凹部７０に対応して、固定用プレートの片側傾斜凹部及び他側傾斜凹部に複数の片側係合突部及び他側係合突部が設けられる。更にまた、支持基台１０Ｄの各環状係合突部３０Ｄ及び複数の係合補助突条３２Ｄに対応して固定用プレートには環状係合凹部及び複数の係合補助凹条が設けられる。この第５の実施形態の歯科技工用作業模型のその他の構成は、上述した第４の実施形態と実質上同一である。
【００８８】
この第５の実施形態の歯科技工用歯形模型においては、その基本的構成が上述の第４の実施形態と同様であるので、上述した第４の実施形態と同様の作用効果が達成され、加えて各挿入孔２２に対応して配設された環状係合突部３０Ｄ（これに対応する固定用プレート側の環状係合凹部）に複数の係合補助突条３２Ｄ（これに対応する固定用プレート側の複数の係合補助凹条）が放射状に設けられているので、このように構成した場合においても、切断した部分のガタ、回動をより確実に抑えることができる。
【００８９】
〈第６の実施形態〉
図１〜図１０に示す実施形態（第１〜第５の実施形態）では、歯形模型が部分タイプのものに適用して説明したが、図１１に示す実施形態では、歯形模型が全顎タイプのもの、即ち上歯全体（又は下歯全体のもの）に適用して説明する。
【００９０】
図１１において、この第６の実施形態の歯科技工用作業模型における支持基台１０Ｅは、略Ｕ字状の支持基台本体１２Ｅを備え、この支持基台本体１２Ｅの上端部に上壁１６Ｅが設けられ、この上壁１６Ｅが略Ｕ字状の弧状に延び、この上壁１６Ｅの上面が支持領域１８Ｅとして機能し、この支持基台本体１２Ｅの内側が接続部７２により接続されている。
【００９１】
この第６の実施形態の歯科技工用作業模型の支持基台１０Ｅにおいては、図１１と図２（第１の実施形態）とを対比することによって理解される如く、支持基台１０Ｅ（支持基台本体１２Ｅ）の構成に修正が施されている。更に説明すると、支持基台１０Ｅの上壁１６Ｅ（支持領域１８Ｅ）が略Ｕ字状であることに関連して、その片側側部（内側側部）に設けられる片側係合突条２６Ｅ（内側係合突条）は略Ｕ字状の弧状に延び、またその他側側部（外側側部）に設けられる他側係合突条２８Ｅ（外側係合突条）も略Ｕ字状の弧状に延びている。
【００９２】
また、支持基台１０Ｅ（支持基台本体１２Ｅ）の支持領域１８Ｅには、挿入孔列２０が設けられ、挿入孔列２０の複数（この形態では、１４個）の挿入孔２２は、他側係合突条２８Ｅの内側にこれに沿って設けられ、このように構成することにより、片側係合突条２６Ｅ（内側係合突条）から挿入孔２２までの距離は、他側係合突条２８Ｅ（外側係合突条）から挿入孔２２までの距離よりも長くなっている。
【００９３】
この実施形態では、挿入孔列２０の各挿入孔２２には、第１の実施形態（図２参照）と同様に、環状係合突部３０Ｅ及び係合補助突条３２Ｅが設けられている。この係合補助突条３２Ｅは、環状係合突部３０Ｅの外周面から片側係合突条２６Ｅ（内側係合突条）に向けて直線状に延びている。
【００９４】
この第６の実施形態の歯科技工用作業模型では、固定用プレート（図示せず）は、上述した第１の実施形態と同様に、この支持基台１０Ｅの上端部に成型用基枠（図示せず）を取り付け（その内側部は、接続部７２に当接支持され、その外側部は複数の位置決め用突部３３に当接支持される）、この成型用基枠内に規定された注入空間内に石膏を注入することにより形成される。
【００９５】
このようなことから、支持基台１０Ｅの構成が上述した通りである場合、上述した記載から容易に理解される如く、この支持基台１０Ｅの上面に対応する固定用プレートの下面は、図面でもって示していないが、次の通りの構成となる。即ち、固定用プレート（プレート本体）には、支持基台１０Ｅ（支持基台本体１２Ｅ）の支持領域１８Ｅの形状に対応して略Ｕ字状に形成され、ダウエルピン列の複数（１４本）のダウエルピンは、この固定用プレート（プレート本体）に沿って設けられる。
【００９６】
また、支持基台１０Ｅ（支持基台本体１２Ｅ）の片側側部２６Ｅ（内側側部）及び他側係合突部２８Ｅに対応して固定用プレート（プレート本体）に片側係合凹条及び他側係合凹部が設けられ、更に支持基台１０Ｅの環状係合突部３０Ｅ及び係合補助突条３２Ｅに対応して固定用プレートには環状係合凹部及び係合補助凹条が設けられ、係合補助凹条は、固定用プレートの片側係合凹条側に延びている。この第６の実施形態の歯科技工用作業模型のその他の構成は、上述した第１の実施形態と実質上同一である。
【００９７】
この第６の実施形態の歯科技工用作業模型にて、支持基台１０Ｅ（支持基台本体１２Ｅ）の上面（支持領域１８Ｅ）に固定用プレートを支持する支持状態（即ち、挿入孔列２０の複数の挿入孔２２にダウエルピン列の複数のダウエルピンを挿入して支持した支持状態）においては、支持基台１０Ｅ（支持基台本体１２Ｅ）側の片側係合突条２６Ｅ及び他側係合突条２８Ｅと固定用プレート（プレート本体）側の片側係合凹条及び他側係合凹条（いずれも図示せず）とが相互に係合するとともに、支持基台１０Ｅ側の複数の環状係合突部３０Ｅ及び係合補助突条３０Ｅと固定用プレート側の複数の環状係合凹部及び係合補助凹条（図示せず）とが相互に係合し、これにより、全顎タイプの歯科技工用作業模型においても、支持基台１０Ｅと固定用プレート（図示せず）との係合状態をガタ、回動などなく保持することができる。
【００９８】
〈第７の実施形態〉
次に、図１２を参照して、本発明に従う歯科技工用作業模型の第７の実施形態について説明する。この第７の実施形態では、図１２と図１１とを対比することにより理解される如く、第６の実施形態の歯科技工用歯形模型の片側係合突条及び他側形状突条に、第２の実施形態で適用した修正（図６参照）が施されているとともに、環状係合突部及び係合補助突条に第３の実施形態で適用した修正（図８参照）が施されている。
【００９９】
図１２において、この第７の実施形態の歯科技工用作業模型における支持基台１０Ｆでは、支持基台１０Ｆ（支持基台本体１２Ｆ）の片側係合突条２６Ｆ（内側係合突条）に片側傾斜突部８２が設けられ、その他側係合突条２８Ｆ（外側係合突条）に他側傾斜突条８４が設けられている。片側傾斜突部８２及び外側傾斜突部８４は、片側係合突条２６Ｆ及び他側係合突条２８Ｆの内側面から内側に延び、それらの上面は内側に向けて下方に傾斜して支持領域１８Ｆ（上壁１６Ｆの上面）まで延びている。また、片側傾斜突部８２及び他側傾斜突条８４には、その長手方向に沿って複数の片側係合凹部８８及び他側係合凹部９０が設けられ、これら片側係合凹部８８及び他側係合凹部９０は、支持基台本体１２Ｆの上面（支持領域１８Ｆ）まで延びている。
【０１００】
この実施形態では、片側傾斜突部８２に複数の片側係合凹部８８を設け、他側傾斜突部８４に複数の他側係合凹部９０を設けているが、これら片側係合凹部８８及び／又は他側係合凹部９０を省略することもできる。
【０１０１】
また、各挿入孔２２に設けられた環状係合突条３０Ｅには、一対の係合補助突条３２Ｆが設けられている。一対の係合補助突条３２Ｆは、環状係合突条３０Ｆの外周面から片側係合突条２６ＢＦに延びるように設けられ、この形態では、片側係合突条２６Ｆ側にＶ字状に拡がるように設けられている。
【０１０２】
この第７の実施形態の歯科技工用作業模型においても、固定用プレート（図示せず）は、上述した第１の実施形態と同様に、この支持基台１０Ｆの上端部に成型用基枠（図示せず）を取り付け、この成型用基枠内に規定された注入空間に石膏を注入することにより形成される。
【０１０３】
このようなことから、支持基台１０Ｆの構成が上述した通りである場合、この支持基台１０Ｆの上面に対応する固定用プレートの下面は、図面でもって示していないが、次の通りの構成となる。即ち、支持基台１０Ｆ（支持基台本体１２Ｆ）の片側係合突条２６Ｆ（内側係合突条）及び他側係合突条２８Ｆ（外側係合突条）に対応して固定用プレート（プレート本体）に片側係合凹条（内側係合凹条）及び他側係合凹条（外側係合凹条）が設けられ、また支持基台１０Ｆの片側傾斜突部８２及び他側傾斜突部８４並びに片側係合凹部８８及び他側係合凹部９０に対応して固定用プレートに片側傾斜凹部及び他側傾斜凹部並びに片側係合突部及び他側係合突部が設けられ、更に支持基台１０Ｄの環状係合突部３０Ｆ及び一対の係合補助突条３２Ｆに対応して固定用プレートには環状係合凹部及び一対の係合補助凹条が設けられる。この第７の実施形態の歯科技工用作業模型のその他の構成は、上述した第６の実施形態と実質上同一である。
【０１０４】
この第７の実施形態の歯科技工用作業模型においては、その基本的構成が第６の実施形態と同様であるので、第６の実施形態と同様の作用効果が達成される。加えて、支持基台１０Ｆ（支持基台本体１２Ｆ）の上面（支持領域１８Ｆ）に固定用プレートを支持する支持状態においては、支持基台１０Ｆ（支持基台本体１２Ｆ）側の片側係合突条２６Ｅ及び他側係合突条２８Ｅと固定用プレート（プレート本体）側の片側係合凹条及び他側係合凹条（いずれも図示せず）とが相互に係合し、また支持基台１０Ｆ側の片側傾斜突部８２及び他側傾斜突部８４並びに片側係合凹部８８及び他側係合凹部９０と固定用プレート側の片側傾斜凹部及び他側傾斜凹部並びに片側係合突部及び他側係合突部とが相互に係合し、更に支持基台１０Ｄ側の環状係合突部３０Ｆ及び一対の係合補助突条３２Ｆと固定用プレート側の環状係合凹部及び一対の係合補助凹条が相互に係合し、これにより、支持基台１０Ｆと固定用プレート（図示せず）との係合状態をより一層効果的にガタ、回動などの無い状態に保持することができる。
【０１０５】
尚、この第７の実施形態では、第６の実施形態の歯科技工用歯形模型に第２の実施形態の修正（図６参照）及び第３の実施形態の修正（図８参照）を組み合わせて適用しているが、これらを組み合わせて適用する必要はなく、第２の実施形態の修正及び第３の実施形態の修正のいずれか一方を適用するようにしてもよい。
【０１０６】
〈第８の実施形態〉
図１〜図１２に示す実施形態（第１〜第７の実施形態）では、ダウエルピンが１列に配設されたタイプ、即ちシングルピンタイプ（シングルピンタイプにおける部分タイプ及び全顎タイプ）のものに適用しているが、図１３に示す実施形態では、ダウエルピンが２列に配設されたタイプ、即ちダブルピンタイプのもの（この形態では、ダブルピンタイプにおける部分タイプ）に適用している。
【０１０７】
図１３において、この第８の実施形態においては、図１３と図６（第２の実施形態）とを対比することによって容易に理解される如く、支持基台１０Ｇ（支持基台本体１２Ｇ）の片側係合突条２６Ｇ及び他側係合突条２８Ｇの間、即ち支持領域１８Ｇに幅方向（図１３において上下方向）に間隔をおいて２列の挿入孔列、即ち第１挿入孔列２０Ｇ及び第２挿入孔列２１Ｇが設けられている。第１挿入孔列２０Ｇは片側係合突条２６Ｇの内側に配設され、第２挿入孔列２１Ｇは、他側係合突条２８Ｇの内側に配設されている。
【０１０８】
第１挿入孔列２０Ｇは、複数（この形態では、５個）の第１挿入孔２２Ｇから構成され、これら第１挿入孔２２Ｇは、支持基台本体１２Ｇの長手方向に間隔をおいて配設されている。また、第２挿入孔列２１Ｇは、複数（この形態では、５個）の第２挿入孔２３Ｇから構成され、これら第２挿入孔２３Ｇは支持基台本体１２Ｇの長手方向に間隔をおいて配設され、複数の第１挿入孔２２Ｇと複数の第２挿入孔２３Ｇとは幅方向に間隔をおいて対応して配設されている。
【０１０９】
この第１０の実施形態では、第１挿入孔列２０Ｇの各第１挿入孔２２Ｇには、その周囲に環状係合突部３０Ｇが設けられ、また第２挿入孔列２１Ｇの各第２挿入孔２３Ｇには、その周囲に第２環状係合突部３１Ｇが設けられ、第１環状係合突部３０Ｇと対応する第２環状係合突部３１Ｇとが接続突部３７Ｇを介してつながっている。尚、この接続部３７Ｇを省略し、第１環状係合突部３０Ｇ及び第２環状係合突部３１Ｇを分離して設けるようにしてもよい。
【０１１０】
第１挿入孔列２０Ｇ（複数の第１挿入孔２２Ｇ）には、第１ダウエルピン列の複数の第１ダウエルピン（図示せず）が挿入され、第２挿入孔列２１Ｇの複数の第２挿入孔２３Ｇには第２ダウエルピン列の第２ダウエルピン（図示せず）が挿入される。この形態では、第１挿入孔列２０Ｇの第１挿入孔２２Ｇの内径は、第２挿入孔列２１Ｇの第２挿入孔２３Ｇの内径よりも小さく形成されており、従って、第１ダウエルピンとして第２ダウエルピンよりも外径が細いものが用いられ、このように第１ダウエルピンとして第２ダウエルピンよりも外径が小さいものを用いるのが望ましい。尚、第１及び第２ダウエルピン列の複数の第１及び第２ダウエルピンとして外径の等しいものを用いることもでき、この場合、外径の小さいサイズのものを用いるのが好ましい。
【０１１１】
この形態では、第１挿入孔列２０Ｇの各第１挿入孔２２Ｇに係合補助突条３２Ｇが設けられている。係合補助突条３２Ｇは、第２環状係合突部３０Ｇの外周面から片側係合突条２６Ｇ側に延び、この形態では片側係合突条２６Ｇに向けて直線状に延びている。この第８の実施形態の歯科技工用作業模型のその他の構成は、上述した第２の実施形態（図６）と実質上同一である。
【０１１２】
この第８の実施形態の歯科技工用作業模型においては、その基本的構成が第２の実施形態と同様であるので、第２の実施形態と同様の作用効果が達成される。加えて、支持基台１０Ｇ（支持基台本体１２Ｇ）の上面（支持領域１８Ｇ）に固定用プレートを支持する支持状態においては、支持基台１０Ｇ（支持基台本体１２Ｇ）側の第１及び第２挿入孔列２０Ｇ，２２Ｇ（複数の第１及び第２挿入孔２２Ｇ，２３Ｇ）に固定用プレート（プレート本体）側の第１及び第２ダウエルピン列（複数の第１及び第２ダウエルピン）が挿入され、また支持基台１０Ｇ側の第１及び第２環状係合突部３０Ｇ，３１Ｇ並びに接続突部３７Gと固定用プレート側の第１及び第２環状係合凹部並びに接続凹部（いずれも図示せず）とが係合し、更に支持基台１０G側の係合補助突条３２Gと固定用王レート側の係合補助凹部とが係合し、これにより、支持基台１０Ｇと固定用プレート（図示せず）との係合状態をより一層ガタ、回動などの無い状態に保持することができる。
【０１１３】
〈第９の実施形態〉
次に、図１４を参照して、本発明に従う歯科技工用歯形模型の第９の実施形態について説明する。この第９の実施形態においては、図１４と図１３（第８の実施形態）とを対比することによって容易に理解される如く、第８の実施形態のものに図８に示す修正（第３の実施形態）が施されている。
【０１１４】
図１４において、の支持基台１０Ｈ（支持基台本体１２Ｈ）の片側係合突条２６Ｈ及び他側係合突条２８Ｈの間、即ち支持領域１８Ｈに幅方向（図１４において上下方向）に間隔をおいて２列の挿入孔列、即ち第１挿入孔列２０Ｈ（複数の第１挿入孔２２Ｈ）及び第２挿入孔列２１Ｈ（複数の第２挿入孔２３Ｈ）が設けられている。
【０１１５】
この第９の実施形態では、第１挿入孔列２０Ｈの各第１挿入孔２２Ｈには、その周囲に環状係合突部３０Ｈ（第１環状係合突部に相当する）が設けられている。尚、この形態では、第２挿入孔列２１Ｈの各第２挿入孔２３Ｈの環状係合突部（第１環状係合突部に相当する）を省略しているが、かかる第２挿入孔２３Ｈの周囲に環状係合突部（第２環状係合突部）を設けるようにしてもよい。
【０１１６】
この形態では、第１挿入孔列２０Ｈの各第１挿入孔２２Ｈに対応して一対の係合補助突条３２Ｈが設けられている。一対の係合補助突条３２Ｈは、環状係合突部３０Ｈの外周面から片側係合突条２６Ｈ側に延び、この形態では片側係合突条２６Ｈに向けてＶ字状に拡がって直線状に延びている。この第９の実施形態の歯科技工用作業模型のその他の構成は、上述した第８の実施形態（図１３）と実質上同一である。
【０１１７】
この第９の実施形態の歯科技工用作業模型においては、その基本的構成が第８の実施形態と同様であるので、第８の実施形態と略同様の作用効果が達成される。加えて、支持基台１０Ｈ（支持基台本体１２Ｈ）の上面（支持領域１８Ｈ）に固定用プレートを支持する支持状態においては、支持基台１０Ｈ（支持基台本体１２Ｈ）側の環状係合突部３０Ｈ及び一対の係合補助突条３２Ｈと固定用プレート（プレート本体）側の環状係合凹部及び一対の係合補助凹条（いずれも図示せず）とが係合し、これにより、支持基台１０Ｈと固定用プレート（図示せず）との係合状態を一層ガタ、回動などの無い状態に保持することができる。
【０１１８】
〈第１０の実施形態〉
次に、図１５を参照して、本発明に従う歯科技工用歯形模型の第１０の実施形態について説明する。この第１０の実施形態においては、図１５と図１４（第９の実施形態）とを対比することによって理解される如く、第９の実施形態のものに図９に示す修正（第４の実施形態）が施されている。
【０１１９】
図１５において、支持基台１０Ｊ（支持基台本体１２Ｊ）の片側係合突条２６Ｊ及び他側係合突条２８Ｊの間、即ち支持領域１８Ｊに幅方向（図１５において上下方向）に間隔をおいて２列の挿入孔列、即ち第１挿入孔列２０Ｊ（複数の第１挿入孔２２Ｊ）及び第２挿入孔列２１Ｊ（複数の第２挿入孔２３Ｊ）が設けられている。
【０１２０】
この第１０の実施形態では、第１挿入孔列２０Ｊの各第１挿入孔２２Ｊには、その周囲に第１環状係合突部３０Ｊ（第２環状係合突部に相当する）が設けられ、第２挿入孔列２１Ｊの各第２挿入孔２３Ｊには、その周囲に第２環状係合突部３１Ｊが設けられ、各第１環状係合突部３０Ｊとこれと対応する第２環状係合突部３１Ｊとは分離して設けられているが、第８の実施形態（図１３）と同様に接続部を介してつなげるようにしてもよい。
【０１２１】
第１挿入孔列２０Ｊの各第１挿入孔２２Ｊに対応して一対の第１係合補助突条３２Ｊが設けられている。一対の第１係合補助突条３２Ｈは、第１環状係合突部３０Ｊの外周面から片側係合突条２６Ｊ側に延び、この形態では片側係合突条２６Ｊに向けてＶ字状に拡がって直線状に延びている。また、第２挿入孔列２１Ｊの各第２挿入孔２３Ｊに対応して一対の第２係合補助突条３５Ｊが設けられている。一対の第２係合補助突条３５Ｊは、第２環状係合突部３１Ｊの外周面から他側係合突条２８Ｊ側に延び、この形態では他側係合突条２８Ｊに向けてＶ字状に拡がって直線状に延びている。この第１０の実施形態の歯科技工用作業模型のその他の構成は、上述した第９の実施形態（図１４）と実質上同一である。
【０１２２】
この第１０の実施形態の歯科技工用作業模型においては、その基本的構成が第９の実施形態と同様であるので、第９の実施形態と略同様の作用効果が達成される。加えて、支持基台１０Ｊ（支持基台本体１２Ｊ）の上面（支持領域１８Ｊ）に固定用プレートを支持する支持状態においては、支持基台１０Ｊ（支持基台本体１２Ｊ）側の第１及び第２環状係合突部３０Ｊ，３１Ｊ並びに一対の第１及び第２係合補助突条３２Ｊ，３５Ｊと固定用プレート（プレート本体）側の第１及び第２環状係合凹部並びに一対の第１及び第２係合補助凹条（いずれも図示せず）とが係合し、これにより、支持基台１０Ｊと固定用プレート（図示せず）との係合状態を一層ガタ、回動などの無い状態に保持することができる。
【０１２３】
〈第１１の実施形態〉
次に、図１６を参照して、本発明に従う歯科技工用歯形模型の第１１の実施形態について説明する。この第１１の実施形態においては、図１６と図１５（第１０の実施形態）とを対比することによって理解される如く、第１０の実施形態のものに図１０に示す修正（第５の実施形態）が施されている。
【０１２４】
図１６において、支持基台１０Ｋ（支持基台本体１２Ｋ）の片側係合突条２６Ｋ及び他側係合突条２８Ｋの間、即ち支持領域１８Ｋに幅方向（図１６において上下方向）に間隔をおいて２列の挿入孔列、即ち第１挿入孔列２０Ｋ（複数の第１挿入孔２２Ｋ）及び第２挿入孔列２１Ｋ（複数の第２挿入孔２３Ｋ）が設けられている。
【０１２５】
この第１１の実施形態では、第１挿入孔列２０Ｋの各第１挿入孔２２Ｋには、その周囲に第１環状係合突部３０Ｋが設けられ、第２挿入孔列２１Ｋの各第２挿入孔２３Ｋには、その周囲に第２環状係合突部３１Ｋが設けられ、各第１環状係合突部３０Ｋとこれと対応する第２環状係合突部３１Ｋとは接続部３７Ｋを介してつながって設けられているが、第９の実施形態（図１５）と同様に分離して設けるようにしてもよい。
【０１２６】
第１挿入孔列２０Ｋの各第１挿入孔２２Ｋに対応して複数（この形態では、４つ）の第１係合補助突条３２Ｋが設けられ、また第２挿入孔列２１Ｋの各挿入孔２３Ｋに対応して複数（この形態では、４つ）の第２係合補助突条３５Ｋが設けられている。複数の第１係合補助突条３２Ｋは、第１環状係合突部３０Ｋ（具体的には、接続部３７Ｋと接続された部位を除く部位）の外周面から周方向に間隔をおいて設けられ、その一部（二つ）は片側係合突条２６Ｋ側に延び、また複数の第２係合補助突条３５Ｋは、第２環状係合突部３１Ｋ（具体的には、接続部３７Ｋと接続された部位を除く部位）の外周面から周方向に間隔をおいて設けられ、その一部（二つ）は他側係合突条２８Ｋ側に延びている。この第１１の実施形態の歯科技工用作業模型のその他の構成は、上述した第１０の実施形態（図１５）と実質上同一である。
【０１２７】
この第１１の実施形態の歯科技工用作業模型においては、その基本的構成が第１０の実施形態と同様であるので、第１０の実施形態と略同様の作用効果が達成される。加えて、支持基台１０K（支持基台本体１２K）の上面（支持領域１８K）に固定用プレートを支持する支持状態においては、支持基台１０K（支持基台本体１２K）側の第１及び第２環状係合突部３０Ｋ，３１K並びに接続突部３７Kと固定用プレート側の第１及び第２環状係合凹部並びに接続凹部とが係合するとともに、支持基台１０Ｋ側の複数の第１及び第２係合補助突条３２Ｋ，３５Ｋと固定用プレート側の第１及び第２係合補助凹条とが係合し、これにより、支持基台１０Ｋと固定用プレート（図示せず）との係合状態をより一層ガタ、回動などの無い状態に保持することができる。
【０１２８】
〈第１２の実施形態〉
次に、図１７を参照して、本発明に従う歯科技工用歯形模型の第１２の実施形態について説明する。図１３〜図１６に示す実施形態では、ダブルピンタイプにおける部分タイプのものに適用しているが、図１７に示す形態では、ダブルピンタイプにおける全顎タイプに適用している。この第１２の実施形態においては、図１７と図１１及び図１３とを対比することによって容易に理解される如く、第６の実施形態（図１１）のものに第８の実施形態（図１３）の修正が施されている。
【０１２９】
図１７において、この第１２の実施形態の歯科技工用作業模型における支持基台１０Ｌは、略Ｕ字状の支持基台本体１２Ｌを備え、この支持基台本体１２Ｌの上端部に上壁１６Ｌが設けられ、この上壁１６Ｌが略Ｕ字状の弧状に延び、この上壁１６Ｌの上面が支持領域１８Ｌとして機能し、この支持基台本体１２Ｌの内側が接続部７２により接続されている。
【０１３０】
この第１２の実施形態の歯科技工用作業模型の支持基台１０Ｌにおいては、支持基台１０Ｌの上壁１６Ｌ（支持領域１８Ｌ）が略Ｕ字状であることに関連して、その片側側部（内側側部）に設けられる片側係合突条２６Ｌ（内側係合突条）は略Ｕ字状の弧状に延び、またその他側側部（外側側部）に設けられる他側係合突条２８Ｌ（外側係合突条）も略Ｕ字状の弧状に延びている。
【０１３１】
また、支持基台１０Ｌ（支持基台本体１２Ｌ）の支持領域１８Ｅには、第１及び第２挿入孔列２０Ｌ，２１Ｌが設けられ、第１挿入孔列２０Ｌの複数（１４個）の第１挿入孔２２Ｌは、片側係合突条２６Ｅの内側にこれに沿って設けられ、また第２挿入孔列２１Ｌの複数（１４個）の第２挿入孔２３Ｌは、他側係合突条２８Ｌの内側にこれに沿って設けられている。
【０１３２】
この実施形態では、第１挿入孔列２０Ｌの各第１挿入孔２２Ｌには、第８の実施形態（図１３参照）と同様に、第１環状係合突部３０Ｌ及び係合補助突条３２Ｌが設けられている。この係合補助突条３２Ｌは、第１環状係合突部３０Ｌの外周面から片側係合突条２６Ｌ（内側係合突条）に向けて直線状に延びている。
【０１３３】
また、第２挿入孔列２１Ｌの各第２挿入孔２３Ｌには、第２環状係合突部３１Ｌが設けられ、この第２環状係合突部３１Ｌは、第１挿入孔列２０Ｌの対応する第１挿入孔２２Ｌにおける第２環状係合突部３１Ｌと接続突部３７Ｌを介して連続されている。
【０１３４】
この第１２の実施形態では、第９の実施形態（図１２参照）と同様に、片側係合突条２６Ｌ（内側係合突条）の内側面に片側傾斜突部８２が設けられ、また他側係合突部２８Ｌ（外側係合突条）の内側面に他側傾斜突部８４が設けられ、片側傾斜突部８２及び他側傾斜突条８４には、その長手方向に沿って複数の片側係合凹部８８及び他側係合凹部９０が設けられている。この第１２の実施形態の歯科技工用作業模型のその他の構成は、上述した第６の実施形態（図１１）と実質上同一である。
【０１３５】
この第１２の実施形態の歯科技工用作業模型では、その基本的構成が第６の実施形態と略同様であるので、第６の実施形態と同様の作用効果が達成される。加えて、支持基台１０Ｌ（支持基台本体１２Ｌ）の上面（支持領域１８Ｌ）に固定用プレートを支持する支持状態（即ち、第１及び第２挿入孔列２０Ｌ，２１Ｌの複数の第１及び第２挿入孔２２Ｌ，２３Ｌ）に第１及び第２ダウエルピン列の複数の第１及び第２ダウエルピンを挿入して支持した支持状態）においては、支持基台１０Ｌ（支持基台本体１２Ｌ）側の片側係合突条２６Ｌ及び他側係合突条２８Ｌと固定用プレート（プレート本体）側の片側係合凹条及び他側係合凹条（いずれも図示せず）とが相互に係合するとともに、支持基台１０Ｌ側の片側傾斜突部８２及び他側傾斜突部８４並びに片側係合凹部８８及び他側係合凹部９０と固定用プレート側の片側係合凹条及び他側係合凹条並びに片側係合突部及び他側係合突部とが係合する。また、支持基台１０Ｌ側の第１及び第２環状係合突部３０Ｌ，３１Ｌ、接続突部３７Ｌ並びに係合補助突条３２Ｌと固定用プレート側の第１及び第２環状係合凹部、接続凹部並びに係合補助凹条とが係合する。従って、ダブルピンタイプにおける全顎タイプの歯科技工用作業模型においても、支持基台１０Ｌと固定用プレート（図示せず）との係合状態をガタ、回動などなく保持することができる。
【０１３６】
〈第１３の実施形態〉
次に、図１８を参照して、本発明に従う歯科技工用歯形模型の第１３の実施形態について説明する。この第１３の実施形態においては、図１８と図１７及び図１５とを対比することによって容易に理解される如く、第１２の実施形態（図１７）のものに第１０の実施形態（図１５）の修正が施されている。
【０１３７】
図１８において、この第１３の実施形態の歯科技工用作業模型の支持基台１０Ｍにおいては、支持基台１０Ｍ（支持基台本体１２Ｍ）の支持領域１８Ｍには、片側係合突条２６Ｍの内側に第１挿入孔列２０Ｍ（複数の第１挿入孔２２Ｍ）が設けられ、他側係合突条２８Ｍの内側に第２挿入孔列２１Ｍ（複数の第２挿入孔２３Ｍ）が設けられている。
【０１３８】
この実施形態では、第１挿入孔列２０Ｍの各第１挿入孔２２Ｍには、第１０の実施形態（図１５参照）と同様に、第１環状係合突部３０Ｍ及び一対第１係合補助突条３２Ｍが設けられている。一対の第１係合補助突条３２Ｍは、第１環状係合突部３０Ｌの外周面から片側係合突条２６Ｌ（内側係合突条）に向けて直線状に拡がるように設けられている。また、第２挿入孔列２１Ｍの各第２挿入孔２３Ｍには、第２環状係合突部３１Ｍ及び一対の第２係合補助突条３５Ｍが設けられている。一対の第２係合補助突条３５Ｍは、第２環状係合突部３１Ｍの外周面から他側係合突条２８Ｍに向けて直線状に拡がるように設けられている。更に、支持基台１０Ｍ側の第１挿入孔列２０Ｍの各第１挿入孔２２Ｍにおける第１環状係合突部３０Ｍと第２挿入孔列２１Ｍの対応する第２挿入孔２３Ｍにおける第２環状係合突部３１Ｍとが接続突部３７Ｋを介して連続するようにつながっている。
【０１３９】
この第１３の実施形態の歯科技工用作業模型では、その基本的構成が第１２の実施形態と略同様であるので、第１２の実施形態と同様の作用効果が達成される。加えて、支持基台１０Ｍ（支持基台本体１２Ｍ）の上面（支持領域１８Ｍ）に固定用プレートを支持する支持状態においては、支持基台１０Ｍ側の第１及び第２環状係合突部３０Ｍ，３１Ｍ、接続突部３７Ｍ並びに第１及び第２係合補助突条３２Ｍ，３５Ｍと固定用プレート側の第１及び第２環状係合凹部、接続凹部並びに第１及び第２係合補助凹条とが係合し、これによって、支持基台１０Ｍと固定用プレート（図示せず）との係合状態を一層ガタ、回動などなく保持することができる。
【０１４０】
第１２（及び第１３）の実施形態（図１７及び図１８）の歯科技工用作業模型では、支持基台１０Ｌ（１０Ｍ）の第１及び第２挿入孔列２０Ｌ，２１Ｌ（２０Ｍ，２１Ｍ）の複数の第１及び第２挿入孔２２Ｌ，２３Ｌ（２２Ｍ，２３Ｍ）（換言すると、これらに挿入される第１及び第２ダウエルピン列の複数の第１及び第２ダウエルピン）を支持基台１０Ｌ（１０Ｍ）における支持領域１８Ｌ（１８Ｍ）の幅方向の中央線よりも他側、即ち他側係合突条２８Ｌ（２８Ｍ）側に配設するのが望ましく、このように構成することにより、この支持領域１８Ｌの幅方向の中央線よりも片側、即ち片側係合突条２６Ｌ（２６Ｍ）側にダウエルピンが存在せず、これにより、歯科模型を切断する際のダウエルピンの切断を少なくすることができる。
【０１４１】
尚、このように構成することに代えて、第１挿入孔列２０Ｌ（２０Ｍ）の複数の第１挿入孔２２Ｌ（２０Ｍ）を支持基台１０Ｌ（１０Ｍ）における支持領域１８Ｌ（１８Ｍ）の幅方向の中心線の上に配置するようにしてもよく、このように構成しても上述したと同様の作用効果を達成することができる。
【０１４２】
以上、本発明に従う歯科技工用作業模型（及びその支持基台）の各種実施形態について説明したが、本発明はかかる実施形態に限定されるものではなく、本発明の範囲を逸脱することなく種々の変形乃至修正が可能である。
【符号の説明】
【０１４３】
２  歯科技工用作業模型
４  歯形模型
６  固定用プレート
８  ダウエルピン列
１０，１０Ａ，１０Ｂ，１０Ｃ，１０Ｄ，１０Ｅ，１０Ｆ，１０Ｇ，１０Ｈ，１０Ｊ，１０Ｋ，１０Ｍ  支持基台
１１  ダウエルピン
１２，１２Ａ，１２Ｂ，１２Ｃ，１２Ｄ，１２Ｅ，１２Ｆ，１２Ｇ，１２Ｈ，１２Ｊ，１２Ｋ，１２Ｍ  支持基台本体
１８，１８Ａ，１８Ｂ，１８Ｃ，１８Ｄ，１８Ｅ，１８Ｆ，１８Ｇ，１８Ｈ，１８Ｊ，１８Ｋ，１８Ｍ  支持領域
２０，２０Ａ，２０Ｂ，２０Ｃ，２０Ｄ，２０Ｅ，２０Ｆ  挿入孔列
２０Ｇ，２０Ｈ，２０Ｊ，２０Ｋ，２０Ｌ，２０Ｍ  第１挿入孔列
２１Ｇ，２１Ｈ，２１Ｊ，２０Ｋ，２０Ｌ，２１Ｍ  第２挿入孔列
２２，２２Ａ，２２Ｂ，２２Ｃ，２２Ｄ，２２Ｅ，２２Ｆ  挿入孔
２２Ｇ，２２Ｈ，２２Ｊ，２２Ｋ，２２Ｌ，２２Ｍ  第１挿入孔
２３Ｇ，２３Ｈ，２３Ｊ，２３Ｋ，２３Ｌ，２３Ｍ  第２挿入孔
２６，２６Ａ，２６Ｂ，２６Ｃ，２６Ｄ，２６Ｅ，２６Ｆ，２６Ｇ，２６Ｈ，２６Ｊ，２６Ｋ，２６Ｌ，２６Ｍ  片側係合突条
２８，２８Ａ，２８Ｂ，２８Ｃ，２８Ｄ，２８Ｅ，２８Ｆ，２８Ｇ，２８Ｈ，２８Ｊ，２８Ｋ，２８Ｌ，２８Ｍ  他側係合突条
３０，３０Ａ，３０Ｂ，３０Ｃ，３０Ｄ，３０Ｅ，３０Ｆ  環状係合突部
３０Ｇ，３０Ｈ、３０Ｊ，３０Ｋ，３０Ｌ，３０Ｍ  第１環状係合突部
３１Ｇ，３１Ｊ，３０Ｋ，３０Ｌ，３０Ｍ  第２環状係合突部
３２，３２Ａ，３２Ｂ，３２Ｃ，３２Ｄ，３２Ｅ，３２Ｆ、３２Ｇ，３２Ｈ，３２Ｌ  係合補助突条
３２Ｃ，３２Ｊ，３２Ｋ，３２Ｍ  第１係合補助突条
３４  プレート本体
３５Ｃ，３５Ｊ，３５Ｋ，３５Ｍ  第２係合補助突条
３６  片側係合凹条
３８  他側係合凹条
４０  環状係合凹部
４２  係合補助凹条
【図１】
2019080706.tif 000003
【図２】
2019080706.tif 000004
【図３】
2019080706.tif 000005
【図４】
2019080706.tif 000006
【図５】
2019080706.tif 000007
【図６】
2019080706.tif 000008
【図７】
2019080706.tif 000009
【図８】
2019080706.tif 000010
【図９】
2019080706.tif 000011
【図１０】
2019080706.tif 000012
【図１１】
2019080706.tif 000013
【図１２】
2019080706.tif 000014
【図１３】
2019080706.tif 000015
【図１４】
2019080706.tif 000016
【図１５】
2019080706.tif 000017
【図１６】
2019080706.tif 000018
【図１７】
2019080706.tif 000019
【図１８】
2019080706.tif 000020